(57)【要約】【課題】撮影された画像が外部に出力されているか否かを適切に通知することのできる撮影装置、電子機器及び通知方法を提案する。【解決手段】撮影装置は、撮像素子の撮像結果に基づいて、イメージデータを生成する信号処理部と、イメージデータが外部に出力された際に、データ送信状態表示部を制御してイメージデータが外部に出力されたことを通知するデータ送信状態通知部と、を備える。【選択図】図１
2020022054.tif 000002
【特許請求の範囲】
【請求項１】
撮像素子の撮像結果に基づいて、イメージデータを生成する信号処理部と、
前記イメージデータが外部に出力された際に、データ送信状態表示部を制御して前記イメージデータが外部に出力されたことを通知するデータ送信状態通知部と、を備える、
撮影装置。
【請求項２】
前記信号処理部が生成した前記イメージデータのメタデータを生成する機械学習部をさらに備え、
前記イメージデータと、前記メタデータの少なくとも一方を外部に出力する、
請求項１に記載の撮影装置。
【請求項３】
前記機械学習部における前記イメージデータの認証結果に基づいて、ローカル認証が成功した場合は前記メタデータを外部に出力し、前記ローカル認証が失敗した場合には前記イメージデータを外部に出力する、
請求項２に記載の撮影装置。
【請求項４】
前記イメージデータと、前記メタデータとの両方を外部に出力する、
請求項２に記載の撮影装置。
【請求項５】
前記機械学習部が前記イメージデータにプライバシー情報が含まれていると認識した場合、
前記データ送信状態通知部は、前記メタデータのみが外部に出力された場合であっても、前記データ送信状態表示部を制御する、
請求項２に記載の撮影装置。
【請求項６】
前記データ送信状態通知部は、前記機械学習部の認識の結果、前記イメージデータに人が含まれていた場合には前記データ送信状態表示部によって通知し、前記イメージデータに人が含まれていない場合には前記データ送信状態表示部によって通知しない、
請求項２に記載の撮影装置。
【請求項７】
前記データ送信状態表示部は、発光部と、音声出力部と、表示部との少なくとも１つを含む、
請求項１に記載の撮影装置。
【請求項８】
前記データ送信状態表示部は、外部に送信されるデータの種類に応じて異なる通知を実行する、
請求項２に記載の撮影装置。
【請求項９】
前記イメージデータの出力先がアプリケーションサーバである、
請求項１に記載の撮影装置。
【請求項１０】
前記イメージデータの出力先が外部記憶媒体である、
請求項１に記載の撮影装置。
【請求項１１】
撮像素子の撮像結果に基づいて、イメージデータを生成する信号処理部と、
前記イメージデータが外部に出力された際に、データ送信状態表示部を制御して前記イメージデータが外部に出力されたことを通知するデータ送信状態通知部と、を有する撮影装置を備えた、
電子機器。
【請求項１２】
撮像素子の撮像結果に基づいて、イメージデータを生成し、
前記イメージデータが外部に出力された際に、データ送信状態表示部を制御して前記イメージデータが外部に出力されたことを通知する、
通知方法。
【発明の詳細な説明】
【技術分野】
【０００１】
本開示は、撮影装置、電子機器及び通知方法に関する。
【背景技術】
【０００２】
カメラなどによって撮影された画像が流出しないように、被撮影者のプライバシーを保護する技術が知られている。
【０００３】
例えば、特許文献１には、撮影を依頼された撮影者が携帯電話を用いて依頼者を撮影する場合に、携帯電話のインカメラが動作中であることを撮影者に警告する技術が開示されている。
【先行技術文献】
【特許文献】
【０００４】
【特許文献１】特開２０１５−１３３６２４号公報
【発明の概要】
【発明が解決しようとする課題】
【０００５】
しかしながら、上記の従来技術では、表示部に表示される画像に基づいて警告を表示させているので、例えば、不正なアプリなどのプログラムによって警告が解除されてしまう可能性がある。
【０００６】
そこで、本開示では、撮影された画像が外部に出力されているか否かを適切に通知することのできる撮影装置、電子機器及び通知方法を提案する。
【課題を解決するための手段】
【０００７】
上記の課題を解決するために、本開示に係る一形態の撮影装置は、撮像素子の撮像結果に基づいて、イメージデータを生成する信号処理部と、イメージデータが外部に出力された際に、データ送信状態表示部を制御してイメージデータが外部に出力されたことを通知するデータ送信状態通知部と、を備える。
【発明の効果】
【０００８】
本開示によれば、撮影された画像が外部に出力されているか否かを適切に通知することができる。なお、ここに記載された効果は必ずしも限定されるものではなく、本開示中に記載されたいずれかの効果であってもよい。
【図面の簡単な説明】
【０００９】
【図１】本開示の第１の実施形態に係る撮影システムの構成の一例を示すブロック図である。
【図２】信号処理部の処理の一例を示す模式図である。
【図３】ローカル認証部の処理の一例を示す模式図である。
【図４】本開示の第１の実施形態に係る撮影装置が外部に送信するデータの組み合わせを説明するための図である。
【図５】データ送信状態通知部の動作の一例を示す模式図である。
【図６】ＬＥＤの動作を説明するための図である。
【図７】本開示の第１の実施形態に係る撮影システムの処理の流れの一例を示すフローチャートである。
【図８】本開示の第１の実施形態に係る撮影システムの変形例の処理の流れの一例を示すフローチャートである。
【図９】本開示の第２の実施形態に係る撮影システムの構成を示すブロック図である。
【図１０】本開示の第３の実施形態に係る撮影システムの構成の一例を示すブロック図である。
【図１１】本開示の第４の実施形態に係る撮影システムの構成の一例を示すブロック図である。
【発明を実施するための形態】
【００１０】
以下に、本開示の実施形態について図面に基づいて詳細に説明する。なお、以下の各実施形態において、同一の部位には同一の符号を付することにより重複する説明を省略する。
【００１１】
また、以下に示す項目順序に従って本開示を説明する。
１．第１の実施形態
１−１．第１の実施形態に係る撮影システムの構成
１−２．第１の実施形態に係る撮影システムの動作
１−３．第１の形態に係る撮影システムの変形例の動作
２．第２の実施形態
２−１．第２の実施形態に係る撮影システムの構成
３．第３の実施形態
３−１．第３の実施形態に係る撮影システムの構成
４．第４の実施形態
４−１．第４の実施形態に係る撮影システムの構成
【００１２】
（１．第１の実施形態）
[１−１．第１の実施形態に係る撮影システムの構成]
図１を用いて、本開示の第１の実施形態に係る撮影システムの構成について説明する。図１は、本開示の第１の実施形態に係る撮影システムの構成を示すブロック図である。
【００１３】
図１に示すように、撮影システム１は、撮影装置１００と、サーバ２００とを含む。撮影システム１では、イメージデータが撮影装置１００から図示しないアプリケーションプロセッサを介して、サーバ２００に送信される。
【００１４】
撮影装置１００は、撮像素子１１０と、Ａ／Ｄ（Analog  to  Digital）変換部１２０と、信号処理部１３０と、機械学習部１４０と、データ送信判断部１５０と、セレクタ１６０と、データ送信部１７０と、データ送信状態通知部１８０と、データ受信部１９０とを備える。本開示の撮影装置１００は、デジタルカメラ、タブレット端末、スマートフォン、携帯電話、パソコン、ヘッドマウントディスプレイ、車載機器、ウエアラブルデバイス、ドローン、およびゲーム機などの電子機器に適用されるが、これらに限定されない。
【００１５】
撮像素子１１０は、例えば、ＣＭＯＳ（Complementary  Metal  Oxide  Semiconductor）イメージセンサである。撮像素子１１０は、図示しないレンズから入射光を受光する。撮像素子１１０は、受光した光を光電変換することによって、入射光に対応するイメージデータを生成する。撮像素子１１０は、生成したイメージデータをＡ／Ｄ変換部１２０に出力する。
【００１６】
Ａ／Ｄ変換部１２０は、イメージデータをデジタル信号に変換する、Ａ／Ｄ変換部１２０は、デジタル信号に変換されたイメージデータを信号処理部１３０に出力する。
【００１７】
信号処理部１３０は、デジタル信号に変換されたイメージデータから出力用のイメージデータを生成する。
【００１８】
図２を用いて、信号処理部１３０が実行する具体的な処理について説明する。図２は、信号処理部１３０の処理の一例を示す模式図である。
【００１９】
図２に示すように、信号処理部１３０は、受けたイメージデータに対して、シェーディング補正（ステップＳ１１）、混色補正（ステップＳ１２）、デジタルゲイン調整（ステップＳ１３）を実行する。信号処理部１３０は、デジタルゲイン調整されたイメージデータに対して、ホワイトバランスゲイン調整（ステップＳ１４）、デモザイク処理（ステップＳ１６）、ガンマ補正（ステップＳ１７）などを実行して出力用のイメージデータを生成する。また、信号処理部１３０は、デジタルゲイン調整されたイメージデータに対して、検波を実行する(ステップＳ１５)。信号処理部１３０は、イメージデータを機械学習部１４０と、セレクタ１６０とに出力する。
【００２０】
機械学習部１４０は、例えば、ＤＮＮ（Deep  Neural  Network）を用いて、イメージデータに含まれる物体の種類を認識するための特徴量を学習し、ＤＮＮのモデルに反映させる。機械学習部１４０は、例えば、ＤＮＮを用いて、イメージデータに含まれる物体をＤＮＮのモデルに基づいて認識する。機械学習部１４０は、ローカル認証部１４１と、ローカル認証用データ記憶部１４２とを有する。
【００２１】
ローカル認証部１４１は、例えば、ＤＮＮを用いて、イメージデータに特定の物体が含まれているか否かを認識する。ローカル認証部１４１は、例えば、ＤＮＮを用いて、イメージデータに特定の人物が含まれているか否かを認識（ローカル認証）する。
【００２２】
図３を用いて、ローカル認証部１４１が実行する処理について説明する。図３は、ローカル認証部１４１の処理の一例を示す図である。
【００２３】
図３に示すように、ローカル認証部１４１は、受けたイメージデータを正規化する(ステップＳ２１)。ここでは、ローカル認証部１４１は、例えば、受けたイメージデータの明度を正規化する。ローカル認証部１４１は、正規化されたイメージデータに対して、ローカル認証を実行する（ステップＳ２２）。ローカル認証部１４１は、ローカル認証の認証結果をデータ送信判断部１５０に出力する。ローカル認証部１４１は、イメージデータのメタデータを生成し、生成したメタデータをセレクタ１６０に出力する。
【００２４】
ローカル認証用データ記憶部１４２は、ローカル認証部１４１がローカル認証を実行するためのデータを記憶している。具体的には、ローカル認証用データ記憶部１４２は、ローカル認証部１４１が、ＤＮＮを実行するためのモデルを記憶している。そのため、ローカル認証部１４１は、ローカル認証用データ記憶部１４２が記憶しているモデルに基づいて、ローカル認証を実行する。
【００２５】
データ送信判断部１５０は、信号処理部１３０が生成したイメージデータと、機械学習部１４０が生成したメタデータとの少なくとも一方をサーバ２００に送信するかを判定する。具体的には、データ送信判断部１５０は、ローカル認証部１４１の認証結果に基づいて、ローカル認証部１４１のローカル認証が成功した場合にはメタデータを送信し、ローカル認証が失敗した場合にはイメージデータを送信するように判断する。データ送信判断部１５０は、イメージデータと、メタデータとのどちらのデータを出力するかの指示をセレクタ１６０に出力する。データ送信判断部１５０は、イメージデータを送信すると判断した場合には、データ送信状態通知部１８０に対して、データ送信状態表示部１８１を動作させる指示を出力する。また、具体的には後述するが、データ送信判断部１５０は、信号処理部１３０が生成したイメージデータと、機械学習部１４０が生成したメタデータとの両方をサーバ２００に送信すると判断してもよい。
【００２６】
データ送信判断部１５０は、例えば、ローカル認証部１４１が人物認識を実行し、メタデータをサーバ２００に送信した場合であっても、データ送信状態通知部１８０に対して、データ送信状態表示部１８１を動作させる指示を出力してもよい。これにより、人物認識を実行したメタデータにはプライバシー情報を含むことがあるので、セキュリティをより向上させることができる。ここで、データ送信判断部１５０は、メタデータにプライバシー情報が含まれている場合にのみ、データ送信状態通知部１８０に対して、データ送信状態表示部１８１を動作させる指示を出力してもよい。この場合、メタデータにプライバシー情報が含まれているか否かは、例えば、ローカル認証部１４１がＤＮＮによって判断すればよい。
【００２７】
セレクタ１６０は、データ送信判断部１５０の指示に従って、イメージデータ又はメタデータをデータ送信部１７０に出力する。
【００２８】
データ送信部１７０は、セレクタ１６０から受けたイメージデータ又はメタデータをサーバ２００のデータ受信部２１０に出力する。
【００２９】
データ送信状態通知部１８０は、データ送信判断部１５０の判断結果に基づいて、データ送信状態表示部１８１を動作させる。データ送信状態通知部１８０は、イメージデータがサーバ２００に送信されている間、データ送信状態表示部１８１を動作させる。
【００３０】
データ送信状態表示部１８１は、データ送信状態通知部１８０からの指示に従って、イメージデータがサーバ２００に送信されていることを通知する。すなわち、データ送信状態表示部１８１を動作させる処理は撮影装置１００の内部で閉じており、アプリケーションプロセッサなどで実行される処理とは独立している。言い換えれば、撮影装置１００の内部の処理のみで、被撮像者に通知することができる。データ送信状態表示部１８１は、例えば、ＬＥＤ（Light  Emitting  Diode）で実現することができる。この場合、データ送信状態通知部１８０は、イメージデータがサーバ２００に送信されている間、ＬＥＤを点灯させる。なお、データ送信状態表示部１８１は、ＬＥＤに限定されない。データ送信状態表示部１８１は、例えば、音声出力部や、表示部などから構成されていてもよい。データ送信状態表示部１８１が音声出力部である場合、データ送信状態通知部１８０は、イメージデータがサーバ２００に送信されている間、音声で通知する。このような音声出力部は、例えば、スピーカで実現することができる。データ送信状態表示部１８１が表示部である場合、データ送信状態通知部１８０はイメージデータがサーバ２００に送信されている間、表示部に特定の画像を表示することで通知する。このような、表示部は、例えば、液晶ディスプレイ（ＬＣＤ：Liquid  Crystal  Display）または有機ＥＬ（Organic  Electro-Luminescence）ディスプレイなどを含むディスプレイである。
【００３１】
図４と、図５とを用いて、データ送信部１７０と、データ送信状態表示部１８１の動作について説明する。図４は、データ送信部１７０がサーバ２００に送信するイメージデータとメタデータとの組み合わせを示す図である。図５は、データ送信状態表示部１８１の動作の一例を示す模式図である。
【００３２】
図４に示すように、データ送信部１７０が送信するイメージデータとメタデータとの組み合わせは４つのケースが考えられ。ケース１は、データ送信部１７０がイメージデータと、メタデータとの両方をサーバ２００に送信するケースである。ケース２は、データ送信部１７０がメタデータのみをサーバ２００に送信するケースである。ケース３は、データ送信部１７０がイメージデータのみをサーバ２００に送信するケースである。ケース４は、データ送信部１７０がイメージデータも、メタデータもサーバ２００に送信しないケースである。各ケースに応じて、データ送信状態表示部１８１の動作が異なってくる。
【００３３】
図５には、データ送信状態表示部１８１がＬＥＤである場合の撮影装置１００が適用された電子機器４００が示されている。図５に示すように、ケース２と、ケース４との時には、データ送信状態表示部１８１は消灯している。そして、ケース１と、ケース３との時には、データ送信状態表示部１８１は点灯している。これにより、被撮像者は、データ送信状態表示部１８１を視認することによって、イメージデータがサーバ２００に送信されていることを認識することができる。
【００３４】
また、データ送信状態表示部１８１がＬＥＤである場合には、データの送信の状況や、送信されるデータの種類に応じて、ＬＥＤの点灯、点滅、色を変えてもよい。例えば、ＬＥＤをデータが送信さていない時のみ消灯させておいて、イメージデータ、メタデータ、プライバシー情報を含むデータが外部に送信される場合において、異なる色を点灯させたり、点灯パターンを変化させたりしてもよい。また、データ送信状態表示部１８１が音声出力部である場合、送信されるデータの種類に応じて出力する音声の種類を変えたり、音声を大きくしたりすればよい。また、データ送信状態表示部１８１が表示部である場合、例えば、図５に図示の電子機器４００の表示部４１０に送信されるデータの種類に応じて異なる警告を表示させてもよい。これにより、被撮像者は、撮影装置１００からサーバ２００に送信されているデータの詳細を認識することができる。すなわち、本開示では、サーバ２００にデータ送信される前の段階の、撮影装置１００の処理のみで、撮影装置１００からサーバ２００にデータが送信されていることを、被撮像者に通知することができる。これにより、被撮像者は、自身のイメージデータが外部に送信されていることを認識できる。
【００３５】
図６を用いて、撮影装置１００によって撮像されてからメタデータ又はイメージデータが送信されるまでのＬＥＤの動作について説明する。図６は、ローカル認証が成功した場合と、ローカル認証が失敗した場合のＬＥＤの動作を示す模式図である。
【００３６】
図６に示すように、ＬＥＤは初期状態では消灯しているものとする。撮影されて、ローカル認証が成功した場合には、メタデータが送信される。この場合、ＬＥＤは消灯したままである。一方、撮影されて、ローカル認証が失敗した場合には、ＬＥＤが点灯する。この場合、例えば、ＬＥＤが点灯してからｔ１秒後に撮影された場合にはイメージデータが送信される。
【００３７】
再び図１を参照する。データ受信部１９０は、例えば、サーバ２００から出力されるイメージデータの認証結果を受ける。データ受信部１９０は、サーバ２００から受けた認証結果が成功だった場合、ローカル認証用データ記憶部１４２に認証結果を出力する。これにより、ローカル認証用データ記憶部１４２に記憶されているモデルが更新される。そのため、ローカル認証部１４１は、イメージデータをサーバ２００に送信した今回の被写体について、次回以降、ローカル認証を成功させることができる。
【００３８】
サーバ２００は、データ受信部２１０と、サーバ認証部２２０と、認証用データ記憶部２３０と、データ送信部２４０とを備える。
【００３９】
データ受信部２１０は、撮影装置１００のデータ送信部１７０からイメージデータ又はメタデータを受ける。データ受信部２１０は、撮影装置１００のデータ送信部１７０からイメージデータを受けた場合には、受けたイメージデータをサーバ認証部２２０に出力する。
【００４０】
サーバ認証部２２０は、イメージデータに含まれる被写体が予め登録されている被写体であるか否かを認証する。具体的には、サーバ認証部２２０は、予め認証用データ記憶部２３０に記憶されている認証用データに基づいて、イメージデータに含まれる被写体が予め登録されている被写体であるか否かを認証する。サーバ認証部２２０は、イメージデータに含まれる被写体が予め登録されている被写体であった場合、ローカル認証用データ記憶部１４２に記憶されているＤＮＮのモデルを更新するための更新データをデータ送信部２４０に出力する。
【００４１】
データ送信部２４０は、ローカル認証用データ記憶部１４２が記憶しているＤＮＮのモデルを更新するための更新データを撮影装置１００のデータ受信部１９０に送信する。これにより、撮影装置１００は、ローカル認証用データ記憶部１４２に記憶されているＤＮＮのモデルを更新することができる。
【００４２】
[１−２．撮影システムの動作]
図７を用いて、第１の実施形態に係る撮影システム１の動作に流れについて説明する。図７は、第１の実施形態に係る撮影システム１の動作の流れを示すフローチャートである。
【００４３】
まず、撮影装置１００は、撮像した被写体に対して、ローカル認証を実行する。具体的には、撮影装置１００は、ローカル認証部１４１によって、撮像した被写体に対して、ローカル認証を実行する。
【００４４】
ローカル認証が成功した場合(ステップＳ１０１の「Ｙｅｓ」)、撮影装置１００は、メタデータをサーバ２００に送信する（ステップＳ１０２）。この場合、サーバ２００は、撮影装置１００から送信されたメタデータを認証する（ステップＳ１０３）。そして、撮影システム１は、図７の処理を終了する。
【００４５】
一方、ローカル認証が失敗した場合(ステップＳ１０１の「Ｎｏ」)、撮影装置１００は、アプリケーションプロセッサを介して、イメージデータをサーバ２００に送信するととともに、データ送信状態表示部１８１を動作させてデータ送信状態を通知する(ステップＳ１０４)。
【００４６】
サーバ２００は、撮影装置１００から送信されたイメージデータを受信する(ステップＳ１０５)。サーバ２００は、イメージデータに対して、サーバ認証を実行する。具体的には、サーバ２００は、サーバ認証部２２０によって、イメージデータに対して、サーバ認証を実行する。
【００４７】
サーバ認証が成功した場合(ステップＳ１０６の「Ｙｅｓ」)、サーバ２００は、ローカル認証用データの更新データを撮影装置１００に送信する。そして、撮影装置１００は、ローカル認証用データ記憶部１４２に記憶されているローカル認証用データを更新する(ステップＳ１０７)。そして、ステップＳ１０３の処理を実行し、撮影システム１は、図７の処理を終了する。
【００４８】
一方、サーバ認証が失敗した場合(ステップＳ１０６の「Ｎｏ」)、サーバ２００は、イメージデータの送信を認証しない（ステップＳ１０８）。そして、撮影システム１は図７の処理を終了する。
【００４９】
上述のとおり、第１の実施形態では、撮影装置１００によって撮影されたイメージデータが外部に送信されたことが被撮像者に通知される。これにより、被撮像者は、自身のプライバシーに関する情報が外部に送信された否かを認識することができる。
【００５０】
[１−３．撮影システムの変形例の動作]
図８を用いて、第１の実施形態に係る撮影システム１の変形例の動作の流れについて説明する。図８は、第１の実施形態に係る撮影システム１の変形例の動作の流れを示すフローチャートである。具体的には、図８に示す処理では、ローカル認証部１４１はイメージデータから人を検出する。
【００５１】
ローカル認証部１４１がイメージデータから人を検出しなかった場合(ステップＳ２０１の「Ｎｏ」)、撮影装置１００は、イメージデータをサーバ２００Ａに送信する(ステップＳ２０２)。次いで、サーバ２００は、イメージデータを受信する(ステップＳ２０３)。そして、撮影システム１は、図８の処理を終了する。
【００５２】
一方、イメージデータから人が検出された場合(ステップＳ２０１の「Ｙｅｓ」)、撮影装置１００は、イメージデータをサーバ２００に送信するととともに、データ送信状態表示部１８１を動作させてデータ送信状態を通知する(ステップＳ２０４)。
【００５３】
サーバ認証が成功した場合(ステップＳ２０６の「Ｙｅｓ」)、サーバ２００は、イメージデータの送信を認証する。そして、撮影システム１は、図８の処理を終了する。
【００５４】
一方、サーバ認証が失敗した場合(ステップＳ２０６の「Ｎｏ」)、サーバ２００は、イメージデータの送信を認証しない。そして、撮影システム１は、図８の処理を終了する。
【００５５】
上述のとおり、第１の実施形態の変形例では、イメージデータに人が含まれているか否かを検出し、人がイメージデータに含まれている場合にのみ、イメージデータが外部に送信されたことが被撮像者に通知される。これにより、被撮像者は、自身のプライバシーに関する情報が外部に送信された否かをより認識することができる。
【００５６】
（２．第２の実施形態）
[２−１．撮影システムの構成]
図９を用いて、本開示の第２の実施形態に係る撮影システム１Ａについて説明する。図９は、本開示の第２の実施形態に係る撮影システム１Ａの構成を示すブロック図である。
【００５７】
図９に示すように、撮影システム１Ａは、撮影装置１００と、外部記憶媒体３００とを備える。すなわち、第２の実施形態は、サーバ２００の代わりに、外部記憶媒体３００を備えている点で第１の実施形態と異なっている。撮影システム１Ａでは、イメージデータが撮影装置１００からアプリケーションプロセッサを介さずに、外部記憶媒体３００に入力される。
【００５８】
外部記憶媒体３００は、データ受信部３１０と、データ記憶部３２０とを備える。データ受信部３１０は、データ送信部１７０から被写体のイメージデータ又はメタデータを受信する。データ受信部３１０は、イメージデータ又はメタデータをデータ記憶部３２０に出力する。データ記憶部３２０は、被写体のイメージデータ及びメタデータを記憶している。外部記憶媒体３００に特に制限はなく、例えば、ＳＰＩ（Serial  Peripheral  Interface）フラッシュメモリや、ＳＤカードが挙げられる。
【００５９】
データ送信状態通知部１８０は、外部記憶媒体３００に対して、イメージデータが送信された場合に、データ送信状態表示部１８１を動作させる。すなわち、第２の実施形態は、イメージデータが外部記憶媒体３００に記憶される際に、データ送信状態表示部１８１を動作させる。すなわち、本開示では、アプリケーションプロセッサを介さずにイメージデータが外部記憶媒体３００に入力された場合であっても、撮影装置１００の内部の処理のみで、被撮像者に通知することができる。
【００６０】
上述のとおり、第２の実施形態では、撮影装置１００によって撮影されたイメージデータが外部記憶媒体３００に記憶されたことが被撮像者に通知される。これにより、被撮像者は、自身のプライバシーに関する情報が記憶媒体に記憶されたか否かを認識することができる。
【００６１】
（３．第３の実施形態）
[３−１．撮影システムの構成]
図１０を用いて、本開示の第３の実施形態に係る撮影システム１Ｂについて説明する。図１０は、本開示の第３の実施形態に係る撮影システム１Ｂの構成を示すブロック図である。
【００６２】
図１０に示すように、撮影システム１Ｂは、撮影装置１００Ａと、サーバ２００Ａとを備える。撮影装置１００Ａは、機械学習部１４０Ａがローカル認証部１４１の代わりに物体認識部１４３を備え、ローカル認証用データ記憶部１４２の代わりに物体認識用データ記憶部１４４を備えている点で第１の実施形態と異なっている。サーバ２００Ａは、データ送信部２４０を備えていない点で第１の実施形態と異なっている。撮影システム１Ｂでは、イメージデータが撮影装置１００Ａから図示しないアプリケーションプロセッサを介して、サーバ２００Ａに送信される。
【００６３】
物体認識部１４３は、信号処理部１３０から受けたイメージデータに含まれる物体を認識する。具体的には、物体認識部１４３は、物体認識用データ記憶部１４４に記憶されているＤＮＮのモデルを用いて、イメージデータに含まれる物体を認識し、物体が認識できた場合には、メタデータを生成する。物体認識部１４３は、物体の認識結果をデータ送信判断部１５０に出力する。
【００６４】
物体認識用データ記憶部１４４は、物体認識部１４３が物体を認識するための物体認識用データを記憶している。具体的には、物体認識用データ記憶部１４４は、物体認識部１４３がイメージデータに含まれる物体を認識するためのＤＮＮのモデルを記憶している。
【００６５】
データ送信判断部１５０は、物体認識部１４３が物体認識に成功した場合には、イメージデータ及びメタデータの両方を出力させる指示をセレクタ１６０に出力する。データ送信判断部１５０は、物体認識部１４３が物体認識に失敗した場合には、イメージデータ及びメタデータのいずれも出力させない指示をセレクタ１６０に出力する。
【００６６】
データ送信部１７０は、物体認識部１４３が物体認識に成功した場合には、イメージデータ及びメタデータをサーバ２００Ａのデータ受信部２１０に送信する。データ送信部１７０は、物体認識部１４３が物体認識に失敗した場合には、イメージデータ及びメタデータのいずれもサーバ２００Ａのデータ受信部２１０に送信しない。
【００６７】
データ送信状態通知部１８０は、イメージデータ及びメタデータがサーバ２００Ａのデータ受信部２１０に送信される際に、データ送信状態表示部１８１を動作させる。すなわち、本開示では、撮影装置１００Ａの内部の処理のみで、撮影装置１００Ａからサーバ２００Ａにイメージデータ及びメタデータが送信されていることを、被撮像者に通知することができる。
【００６８】
上述のとおり、第３の実施形態では、撮影装置１００Ａからイメージデータ及びメタデータの両方がサーバ２００Ａに送信されたことが通知される。これにより、物体認識のようにイメージデータ及びメタデータの両方が撮影装置１００Ａから外部に送信される場合であっても、データが外部に送信されていることを認識することができる。
【００６９】
（４．第４の実施形態）
[４−１．撮影システムの構成]
図１１を用いて、本開示の第４の実施形態に係る撮影システム１Ｃについて説明する。図１１は、本開示の第４の実施形態に係る撮影システム１Ｃの構成を示すブロック図である。
【００７０】
図１１に示すように、撮影システム１Ｃは、撮影装置１００Ｂと、サーバ２００Ａとを備える。撮影装置１００Ｂは、機械学習部１４０と、データ送信判断部１５０と、セレクタ１６０とを備えていない点で、第１の実施形態とは異なっている。すなわち、撮影装置１００Ｂは、ＤＮＮを実行しない撮影装置である。
【００７１】
第４の実施形態では、信号処理部１３０は、イメージデータをデータ送信部１７０に出力する。データ送信部１７０は、イメージデータをサーバ２００Ａに送信するとともに、イメージデータを送信したことを示す信号をデータ送信状態通知部１８０に出力する。データ送信状態通知部１８０は、データ送信部１７０から信号を受けると、データ送信状態表示部１８１を制御して、イメージデータがサーバ２００Ａに送信されていることを通知する。すなわち、第４の実施形態では、撮影装置１００Ｂからサーバ２００Ａにデータが送信されれば、必ず通知される。すなわち、本開示では、撮影装置１００Ｂの内部の処理のみで、撮影装置１００からサーバ２００Ａにイメージデータが送信されていることを、被撮像者に通知することができる。
【００７２】
上述のとおり、第４の実施形態では、撮影装置１００Ｂによって撮影されたイメージデータがサーバ２００Ａに送信されたことが被撮像者に通知される。これにより、被撮像者は、自身のプライバシーに関する情報が外部に送信された否かを認識することができる。
【００７３】
なお、本明細書に記載された効果はあくまで例示であって限定されるものでは無く、また他の効果があってもよい。
【００７４】
なお、本技術は以下のような構成も取ることができる。
（１）
撮像素子の撮像結果に基づいて、イメージデータを生成する信号処理部と、
前記イメージデータが外部に出力された際に、データ送信状態表示部を制御して前記イメージデータが外部に出力されたことを通知するデータ送信状態通知部と、を備える、
撮影装置。
（２）
前記信号処理部が生成した前記イメージデータのメタデータを生成する機械学習部をさらに備え、
前記イメージデータと、前記メタデータの少なくとも一方を外部に出力する、
前記(１)に記載の撮影装置。
（３）
前記機械学習部における前記イメージデータの認証結果に基づいて、ローカル認証が成功した場合は前記メタデータを外部に出力し、前記ローカル認証が失敗した場合には前記イメージデータを外部に出力する、
前記(２)に記載の撮影装置。
（４）
前記イメージデータと、前記メタデータとの両方を外部に出力する、
前記(２)または(３)に記載の撮影装置。
（５）
前記機械学習部が前記イメージデータにプライバシー情報が含まれていると認識した場合、
前記データ送信状態通知部は、前記メタデータのみが外部に出力された場合であっても、前記データ送信状態表示部を制御する、
前記(２)または(３)に記載の撮影装置。
（６）
前記データ送信状態通知部は、前記機械学習部の認識の結果、前記イメージデータに人が含まれていた場合には前記データ送信状態表示部によって通知し、前記イメージデータに人が含まれていない場合には前記データ送信状態表示部によって通知しない、
前記(２)〜(５)のいずれか１つに記載の撮影装置。
（７）
前記データ送信状態表示部は、発光部と、音声出力部と、表示部との少なくとも１つを含む、
前記(１)〜(６)のいずれか１つに記載の撮影装置。
（８）
前記データ送信状態表示部は、外部に送信されるデータの種類に応じて異なる通知を実行する、
前記(１)〜(７)のいずれか１つに記載の撮影装置。
（９）
前記イメージデータの出力先がアプリケーションサーバである、
前記(１)〜(８)のいずれか１つに記載の撮影装置。
（１０）
前記イメージデータの出力先が外部記憶媒体である、
前記(１)〜(８)のいずれか１つに記載の撮影装置。
（１１）
撮像素子の撮像結果に基づいて、イメージデータを生成する信号処理部と、
前記イメージデータが外部に出力された際に、データ送信状態表示部を制御して前記イメージデータが外部に出力されたことを通知するデータ送信状態通知部と、を有する撮影装置を備えた、
電子機器。
（１２）
撮像素子の撮像結果に基づいて、イメージデータを生成し、
前記イメージデータが外部に出力された際に、データ送信状態表示部を制御して前記イメージデータが外部に出力されたことを通知する、
通知方法。
【符号の説明】
【００７５】
１，１Ａ，１Ｂ，１Ｃ  撮影システム
１００，１００Ａ，１００Ｂ  撮影装置
１１０  撮像素子
１２０  Ａ／Ｄ変換部
１３０  信号処理部
１４０，１４０Ａ  機械学習部
１４１  ローカル認証部
１４２  ローカル認証用データ記憶部
１４３  物体認識部
１４４  物体認識用データ記憶部
１５０  データ送信判断部
１６０  セレクタ
１７０，２４０  データ送信部
１８０  データ送信状態通知部
１８１  データ送信状態表示部
２００，２００Ａ  アプリケーションサーバ
２１０，３１０  データ受信部
２２０  サーバ認証部
２３０  認証用データ記憶部
３００  外部記憶媒体
３２０  データ記憶部
４００  電子機器
４１０  表示部
【図１】
2020022054.tif 000003
【図２】
2020022054.tif 000004
【図３】
2020022054.tif 000005
【図４】
2020022054.tif 000006
【図５】
2020022054.tif 000007
【図６】
2020022054.tif 000008
【図７】
2020022054.tif 000009
【図８】
2020022054.tif 000010
【図９】
2020022054.tif 000011
【図１０】
2020022054.tif 000012
【図１１】
2020022054.tif 000013